(57)【特許請求の範囲】
【請求項１】
板状枠体付きＩＣキャリアがカード固定台紙の切り込みに固定された板状枠体付きＩＣキャリアであって、
前記カード固定台紙にカード形状の板状枠体を板状枠体の対向するコーナーで固定するための切り込みが形成され、
板状枠体の開口部にＩＣキャリアを固定するためのブリッジが形成され、
前記ブリッジは前記ＩＣキャリアの対向する長辺、短辺の何れかに対してＩＣキャリアのほぼ中央を通過する直線上に形成されていることを特徴とするカード固定台紙に固定された板状枠体付きＩＣキャリア。
【請求項２】
板状枠体付きＩＣキャリアがカード固定台紙の切り込みに固定された板状枠体付きＩＣキャリアであって、
前記カード固定台紙にはカード形状の板状枠体を板状枠体の対向するコーナーで固定するための切り込みが形成され、
ＩＣキャリアのコーナー付近には板状枠体の開口部にＩＣキャリアを固定するためのブリッジが形成され、
板状枠体付きＩＣキャリアがカード固定台紙の切り込みに固定された状態で、前記ＩＣキャリアの対向するコーナーに形成されたブリッジを結ぶ方向が前記切り込みを結ぶ方向と交差する状態で形成されたことを特徴とするカード固定台紙に固定された板状枠体付きＩＣキャリア。
【発明の詳細な説明】
【０００１】
【発明の属する技術分野】
本発明はカード固定台紙に固定された板状枠体付きＩＣキャリアに関し、詳しくは標準サイズのカードと、小型カードサイズのＩＣキャリアが一体の状態に形成され、前記一体の状態でＩＣチップに情報が書きこまれた後、小型サイズのＩＣキャリアが標準サイズのカードから取り外され、携帯端末装置等に装着されて使用される情報記録カードに関する。
【０００２】
【従来の技術】
近年、従来の磁気カードに比べて記憶容量が大きく、かつセキュリティー性が高いマイコンカード、スマートカードあるいは電子カードと呼ばれる、いわゆるＩＣカードが多くの分野で利用されている。
また、ＩＣカードはその外形仕様が従来の磁気ストライプ付きキャッシュカードや、クレジットカードと同一で、世界中共通であるために、従来、エンボスカードや、磁気ストライプカード用として使用されていた、エンボッシング装置や、磁気エンコーディング装置がＩＣカードにもそのまま使用されている。即ち、これらの装置でＩＣ部分への情報の書き込みを行わせるために、前記エンボス装置や、エンコーディング装置にＩＣカード対応ユニットを追加し、エンボス・エンコーディング処理とＩＣ情報の記録処理をインラインで行っている。
【０００３】
また、コンピュータの小型化、家庭電化製品のディジタル化が進む中でとりわけ携帯電話が多機能化し、Ｅメールはもとより、インターネットによる商取引までその機能範囲を広げようとしている。しかし、携帯電話の機能が向上し、利用分野が拡大する中で、送信データの安全性が問われ始めた。例えば、携帯電話によるインターネット取引きでクレジットカードを使用する場合にクレジット会員番号が悪用されないか、また、本人の認証をどの様に行うか等の課題が浮上してきた。
【０００４】
このような背景の中で、ＩＣカードの先進国であるフランスなどでは、携帯電話利用によるの通話料金を利用者の家庭で使用している電話料金の引き落とし口座から支払わせる方式を実用化させている。
このシステムは、携帯電話の利用者を特定するＳＩＭ（ＳｕｂｓｃｒｉｂｅｒＩｄｅｎｔｉｆｙ  Ｍｏｄｕｌｅ）カードと称する小型形状のＩＣカードを携帯電話に装着することによって本人の家庭の電話料金支払い口座に連動するようになっている。
【０００５】
このＳＩＭサイズのＩＣカードは略切手大サイズで、そのほとんどの表面積をＩＣモジュールの外部端子で占めてしまうため、余分なスペースが無く、ＩＣキャリア上にデザインを施したり個別データを表示することができない。さらに、ＩＣチップに情報を書込んだりＩＣカードとして検査するために高速処理する装置がまだ市販されていないために、現在多くのＩＣカードメーカーでは前記ＳＩＭサイズのＩＣキャリア（以下ＳＩＭカードという。）を標準カード仕様の前記板状枠体（以下枠カードという。）付き構造として、枠カード側にデザインや注意書きを印刷で行い、でき上がった枠カード付きＳＩＭカードに情報処理を行った後、ＳＩＭカードが枠カードに固定された状態で出荷している。
このＳＩＭカードは、携帯電話以外にノート型パーソナルコンピュータのＣＰカードに装着され一部で利用されているが、普及数量としては微々たるものでやはりＩＳＯサイズのカードが圧倒的である。したがって、当面前記ＳＩＭカードの情報記録作業は、前記ＩＳＯ標準サイズの枠カード付きで行われる。
【０００６】
枠カード付きＳＩＭカードは、ＩＳＯ標準サイズのカードに加工するために前述のように、まずＩＳＯ標準仕様のカードにＩＣモジュールを実装した後モジュールの周辺にＳＩＭカードサイズにスリット加工し、枠カードにブリッジを設けてＳＩＭカードを固定する製法が従来から提案されていた。（特開平６−２４１８８号公報、特開平７−２７６８７０号公報参照）
【０００７】
一方、アウトソーシングの時代となり本来カード発行会社が行う、例えば最終使用者に完成したカードを郵送する業務をカード発行会社立会いの元、一部カード製造会社が代行して行っている。この部署では一連の検査が終了した磁気ストライプカードや、ＩＣカード等をカード使用者の住所・氏名等を印字したカード固定台紙に固定し、窓空き封筒に封入した後封緘し、郵便局に持参して郵送している。この業務ではまず、カード固定台紙の所定の位置にＳＩＭカードの最終使用者の郵便番号、住所、氏名などをプリンタで出力する。次に前記情報が印字されたカード固定台紙に最終使用者のカードをマッチングしながら固定してゆく。この際に、最終使用者の例えば会員番号等のＩＤコードをＩＣチップから読み出すか、または、前記枠カードに施された機械読取情報を光学的、または、磁気的に読み取り、台紙の印字内容と一致させながらカードをカード固定台紙に固定してゆく。このカード固定装置（以下カードインサーターという。）では、カード固定台紙のカードを固定する位置に予め切り込みを設けておき、カードを彎曲させながらカード台紙の前記切り込みにカードの端を挟んでカードを台紙に固定する。前記切り込みは、カードの対角線上の２箇所のコーナーの位置に半円状に孔を開けた状態になっているものが多い。このカードをカード固定台紙に固定する際に、カードが彎曲するためにＳＩＭカードを支えているブリッジが破壊し、ＳＩＭカードが枠カードから離脱してしまう状況が多発していた。このＳＩＭカードの離脱現象は、ＳＩＭカードが枠カードから外し易い仕様になっているものほど多く発生していた。
【発明が解決しようとする課題】
そこで本発明は、前記カードインサーターの仕様に合わせ、ＩＣキャリアが板状枠体から離脱し難いカード固定台紙に固定された板状枠体付きＩＣキャリア（以下、単に枠カード付きＳＩＭカードともいう）を提供するものである。
【０００８】
【課題を解決するための手段】
そこで本願発明のカード固定台紙に固定された板状枠体付きＩＣキャリアは、板状枠体付きＩＣキャリアがカード固定台紙に形成された切り込みに固定され、板状枠体付きＩＣキャリアは板状枠体の開口部に形成されたブリッジでＩＣキャリアを固定され、前記ブリッジはＩＣキャリアのほぼ中央を通過する直線上、または、ＩＣキャリアのコーナー付近に設けられていることを特徴とするものである。
【０００９】
【発明の実施の形態】
以下、図面を参照して本発明の一実施形態について説明する。
【００１０】
図１は、ＳＩＭカードを支えるブリッジをＳＩＭカードの長辺上に設けたことを説明するための図、図２は、ＳＩＭカードを枠カードからはずした状態を説明するための図、図３は、枠カード付きＳＩＭカードの周縁スリット加工前の状態（ＩＣカード）の外部端子側平面図、図４は、ＩＣカードの製造工程を説明するための略図、図５は、カード固定台紙連続フォームを説明するための図、図６は、カード固定台紙連続フォームに情報を印字後カードインサーターによって枠カード付きＳＩＭカードが固定された状態の説明図、図７は、枠カード付きＳＩＭカードを固定した固定台紙が窓空き封筒に封入される前の状態を説明するための図、図８は、カード固定台紙を窓空き封筒に封入した状態の透視図、図９は、カードインサーターＡでカード固定台紙の切り込みに枠カード付きＳＩＭカードを固定する過程を説明するための図、図１０は、カードインサーターＢでカード固定台紙の切り込みに枠カード付きＳＩＭカードを固定する過程を説明するための図、
図１１は、カードインサーターＣでカード固定台紙の切り込みに枠カード付きＳＩＭカードを固定する過程を説明するための図、である。
【００１１】
図１において、枠カード６の内側にＳＩＭカード２がＳＩＭカードの外側に設けられた２個のブリッジ５で支えられて固定されている。前記ブリッジ５はカードのほぼセンターを通る直線上に配置されている。図の両方向矢印は、ブリッジ５がＳＩＭカードの長辺にに沿って設けられることを示している。更に本発明では、図１においてブリッジ５がＳＩＭカード２の上部の矢印に沿って、中央部の黒い丸印から右側に移動した場合ＳＩＭカードの下部のブリッジ５は矢印の中央の黒丸の位置から左側に移動した位置に設けられる結果、ＳＩＭカードの上下に設けられたブリッジ５を結ぶ直線はＳＩＭカード２のほぼ中央部を通ることになる。
ＳＩＭカードの外周には表裏を貫通する溝状の周縁スリット４が設けられている。
前記周縁スリット４の幅は２ｍｍ〜４ｍｍ程度で厳密なものではなく、ＳＩＭカード２を枠カード６から外すときにスムーズにはずせるようになっていればよい。
また、ブリッジ５は、枠カードから外した後、図２で示すように枠カード６に残っていなければならないために、ブリッジの厚さをＳＩＭカードの厚さより薄くしたり、ブリッジに傾斜を設けてＳＩＭカードの付け根の部分を枠カードの付け根の部分より薄くしたりして外し易いように工夫を凝らしている。
【００１２】
ここで、枠カード付きＳＩＭカードの製造方法の一実施例について図３、図４を参照して説明する。
図３は、通常のＩＣカード１０である。この状態から図１に示す周縁４とブリッジ５を形成する。ＩＣモジュールを実装する前に周縁４とブリッジ５を形成する場合もある。また、インジェクションの場合はカードを成型する際に同時に周縁４とブリッジ５を形成する。
積層方式で作製されるカードは、図４に示す如く、表面に印刷処理される乳白シート１０２（２枚）、１０３（１枚）を透明シート１０１（２枚）でサンドイッチする５層積層の他に、乳白シート１０３（１枚）と透明シート１０１（２枚）の３層積層の場合や、乳白シート１０２（２枚）と透明シート１０１（２枚）の４層積層の場合や、乳白シート１０３だけの１層構成の場合があり、これら層構成は、カード製造会社の設備との関連や、使用する材料との関連で決められる。
５層積層の場合で説明すると、最初に乳白シート１０２の透明シート側に印刷が施される。印刷では紫外線乾燥タイプや、酸化重合タイプのインキが使われる。印刷は、カード１枚の大きさで行われる場合は少なく、多くは１０枚〜３０枚の多面付けで行われる。
印刷が終わると乳白シート１０２の印刷インキ面、何も印刷されていない１０３の両面に接着剤が塗布され、圧力と熱で接着させ積層多面シート１１０を作成する。接着面全てに接着剤を塗布して積層する場合や、接着剤を一切使用しない、融着によって積層する場合がある。
抜き型を使用して、多面の状態から１枚のカードの状態にし、ＩＣモジュール埋設用の凹部１０５をルーターで座繰り加工し、ＩＣモジュールを実装してＩＣカード１０を作成する。
【００１３】
図５、図６を参照してカード固定台紙について説明する。
図５に示す連続フォーム仕様のカード固定台紙９０は、まだ可変情報が印字されていない状態で、窓空き封筒に入れて郵送されるために標準サイズの定形封筒より若干小さめにレイアウトされている。前記連続フォーム仕様のカード固定台紙のカードが固定される面には郵送する相手先の住所・氏名を印字する宛先欄が印刷表示され、その片側にカードのコーナーを差し込んで固定するための半円形の切り込み９２が形成されている。カード固定台紙は、固定台紙に固定されるカードが固いためにカードを挿入するときに切り込みの部分で破れないように、比較的厚手で、引き裂きに対して強い用紙が使用される。また、カード固定台紙連続フォーム９０にはプリンタや、カードインサーターでフォームを送るために、フォームの左右にスプロケットホール９３が形成されている。
【００１４】
図６に示すように、住所氏名などが印字されたカード固定台紙連続フォームは、カードインサーター（図示せず）にセットされ、ピントラクタで送られ、カードフィーダーから供給されたカードが台紙に印字された住所・氏名とバーコードのような機械読取マークで照合しながら、図６のようにカードを切り込み９２に固定してゆく。カードが固定された台紙は両端のスプロケットホール９３が切取られ、折り兼切取りミシンで単票状に切り離される。
【００１５】
切取られたカード台紙は、図７に示すように定形郵便封筒に入るサイズになっている。顧客情報が多いときは、カード固定台紙の切り込みを２折り毎に形成して２つ折りにして封入する（図示せず）場合もある。
【００１６】
図８は、カード固定台紙が窓空き封筒に入れられている状態を透視した図であるが、図から判るように郵送される人の住所と名前が封筒の透明な窓から透けて読めるようになっている。
封筒の中のカードの安全性のために、簡易書留で郵送されることが多い。
【００１７】
図９，図１０，図１１は枠カード付きＳＩＭカード（以下図９，図１０，図１１の説明では単にカードという。）１が、カード固定台紙に固定される状態を示しているが、図で判るように、カードインサーター（図示せず）Ａ，ＣとＢで切り込みの位置が違う。このいずれに対してもＳＩＭカードが離脱することなく固定できるようにブリッジの位置を工夫したのが本発明である。
【００１８】
まず、カードインサーターＡは、図９のように押さえ爪７０が、カード１の短辺中央部を押さえ、カードの左右から力を加えてカードを彎曲させ、矢印イのように移動させてカード台紙の切り込み９２にカードを運び、カードの対角線上のコーナーを切り込み９２に挿入し、彎曲を緩めると、矢印ロの下の図のようにカードの彎曲が元に戻りカード１が固定台紙９に固定される。
【００１９】
一方、図１０は、カードインサーターＢの押さえ爪７０がカード１の短辺の右上方とカード短辺の左下方を押さえてカードを彎曲させカードを矢印イのように移動させカード固定台紙９の切り込み９２にカードのコーナーを挿入し、彎曲を緩めると、矢印ロの下の図のようにカードの彎曲が元に戻りカード１が固定台紙９に固定される。
【００２０】
また、図１１は、カードインサーターＣの押さえ爪７０がカード短辺の左上方とカード短辺の右下方を押さえてカード１を彎曲させカードを矢印イのように移動させカード固定台紙９の切り込み９２にカードのコーナーを挿入し、彎曲を緩めると、矢印ロの下の図のようにカードの彎曲が元に戻りカード１が固定台紙９に固定される。
【００２１】
図９，図１０，図１１のそれぞれ左上の図で判るように、１対のブリッジ５を結ぶ直線５０は、押さえ爪７０によって彎曲方向と交差する白い矢印方向６０と平行になりＳＩＭカードを支えるブリッジ５にはＳＩＭカードが離脱するような力は加わっていないことがわかる。
前述のように、カードインサーターによって発生する彎曲に対してブリッジを破壊から守るためには、カードインサーターで彎曲させる方向に対し逆らわない方向に沿ってブリッジを設ければ良いことが判る。
【００２２】
【実施例】
（実施例）
塩化ビニルの素材を使用し、表裏に１色のテストパターンを印刷し５層（透明フィルム０．０５ｍｍ×２、乳白フィルム０．２８ｍｍ×２、コア（乳白）フィルム０．１６ｍｍ、総厚０．８２ｍｍ）の積層カードを作製した。次に座繰り機によってＩＣモジュールを埋設するための凹部を加工し、ＩＣモジュールを接着剤を使用してカードに接着し固定した。
ＩＣモジュールの周囲に幅３ｍｍの周縁スリットを形成し、図１１の位置に幅２ｍｍのブリッジ１対（２個）を設けた。ＳＩＭカードに近いブリッジの厚さを他の部分より薄い３分の１の厚さにした。
また、斤量９０Ｋｇ／四六判の上質紙を使用してカード固定台紙フォームを作成し、カードインサーターＣの仕様に基づいて、図１１に示すような台紙の左上、右下に半円状の切り込み孔を形成した。
【００２３】
５００枚の枠カード付きＳＩＭカードを作製、カードインサーターＣによってカード固定台紙に固定したがブリッジが破壊して枠カードから離脱したＳＩＭカードは０枚であった。
【００２４】
【発明の効果】
ＳＩＭカードの周囲にブリッジを設け枠カードにＳＩＭカードを固定する方法を採用する場合、ブリッジをＳＩＭカードのほぼ中央を通過する直線上に形成させ、更に、ブリッジをＳＩＭカードの長辺に沿った周縁スリットの中に設けることによって、固定台紙に枠カード付きＳＩＭカードを固定する際に離脱が発生しないことが確認された。
更に、確実な効果を求めるならばカードインサーターの機種に合わせてブリッジの位置を決めるのが最も効果的である。例えば、カードインサーターの押さえ爪の位置がカードの左下方、右上方である場合、図１０の位置に固定してしまう。
このことによって、ブリッジの厚さを極限まで薄く、また、幅を狭くすることができ、使用者がＳＩＭカードを容易に外すことができるカードを提供することができる。
【図面の簡単な説明】
【図１】ＩＣキャリアを支えるブリッジをＩＣキャリアの上下２箇所に設けたことを説明するための図
【図２】ＩＣキャリア（ＳＩＭカード）を板状枠体（枠カード）からはずした状態を説明するための図
【図３】枠カード付きＳＩＭカードの周縁スリット加工前の状態（ＩＣカード）の外部端子側平面図
【図４】図３におけるＩＣカードの製造工程略図
【図５】カード固定台紙連続フォーム説明図
【図６】カード固定台紙連続フォームに情報を印字後カードインサーターによって枠カード付きＳＩＭカードが固定された状態の説明図
【図７】枠カード付きＳＩＭカードを固定した固定台紙が窓空き封筒に封入される前の状態を説明するための図
【図８】カード固定台紙を窓空き封筒に封入した状態の透視図
【図９】カード固定装置（カードインサーター）Ａでカード固定台紙の切り込みに枠カード付きＳＩＭカードを固定する過程を説明するための図
【図１０】カードインサーターＢでカード固定台紙の切り込みに枠カード付きＳＩＭカードを固定する過程を説明するための図
【図１１】カードインサーターＣでカード固定台紙の切り込みに枠カード付きＳＩＭカードを固定する過程を説明するための図
【符号の説明】
１      本実施形態のカード固定台紙に固定された板状枠体付きＩＣキャリア（枠カード付きＳＩＭカード）
２      ＩＣキャリア（ＳＩＭカード）
３      ＩＣモジュール
４      周縁スリット
５      ブリッジ
６      板状枠体（枠カード）
８      窓空き封筒
９      カード固定台紙
１０    ＩＣカード
１０１  透明フィルム
１０２  乳白フィルム
１０３  コア(乳白)フィルム
１０５  ＩＣモジュール実装用凹部
１１０  ＩＣモジュール実装前のデザインカード
５０    1対のブリッジを結ぶ直線
６０    カードを彎曲させたときに枠カードに形成される頂点の方向
７０    カード押さえ爪、または、カード押さえ爪がカードを支えて彎曲させる位置
８１    窓
９０    カード固定台紙連続フォーム
９１    受取人の住所・氏名
９２    切り込み
９３    スプロケットホール
【図１】
0004580509.tif 000002
【図２】
0004580509.tif 000003
【図３】
0004580509.tif 000004
【図４】
0004580509.tif 000005
【図５】
0004580509.tif 000006
【図６】
0004580509.tif 000007
【図７】
0004580509.tif 000008
【図８】
0004580509.tif 000009
【図９】
0004580509.tif 000010
【図１０】
0004580509.tif 000011
【図１１】
0004580509.tif 000012